(57)【要約】【課題】シートキーはメンブレンキーボードの表面を覆うように表面シートが固定されているため、言語毎にシートキーを製造及び管理することになり、シートキーの製造及び管理コストが高くなる。【解決手段】複数のスイッチ部Ｓを有し、スイッチ部Ｓのそれぞれが共通の表面シート２０により覆われたメンブレンスイッチよりなるティーチペンダント用のシートキーである。表面シート２０には、保護シート３０が貼着される。保護シート３０の裏面に、スイッチ部に対応する保護シート３０の操作領域３０ａ及びその周辺領域に、スイッチ部が操作されることにより行われる各種機能を表示する言語の文字が印刷されている。言語毎の文字を表面シート２０ではなく保護シート３０に印刷するようにしたことによって、シートキーを各言語に対応させる必要がなくなる。【選択図】図１
2014143010.tif 000002
【特許請求の範囲】
【請求項１】
複数のスイッチ部を有し、前記スイッチ部のそれぞれが共通の表面シートにより覆われたメンブレンスイッチよりなるティーチペンダント用のシートキーにおいて、
前記表面シートには、さらに保護シートが貼着され、
前記複数のスイッチ部の内、少なくとも一部のスイッチ部に対応する前記保護シートの操作領域及び前記操作領域の周辺領域の内、いずれか一方の領域または両領域にはその領域に対応するスイッチ部が操作されることにより行われる各種機能を表示する言語の文字が記述されているティーチペンダント用のシートキー。
【請求項２】
前記保護シートは、耐熱性を有している請求項１に記載のティーチペンダント用のシートキー。
【請求項３】
前記保護シートは、前記表面シートに対して張り替え可能に貼着されている請求項１または請求項２に記載のティーチペンダント用のシートキー。
【請求項４】
前記表面シートの前記スイッチ部のそれぞれと相対する相対領域は前記保護シートの操作領域と相対して配置され、前記相対領域と前記操作領域は、ともに表面側に突出するエンボスが形成されている請求項１乃至請求項３のうちいずれか１項に記載のティーチペンダント用のシートキー。
【請求項５】
前記保護シートは透明であり、前記言語は、前記保護シートの裏面に印刷されている請求項１乃至請求項４のうちいずれか１項に記載のティーチペンダント用のシートキー。
【請求項６】
前記保護シートは、前記表面シートと同一の大きさの外形を有する請求項１乃至請求項５のうちいずれか１項に記載のティーチペンダント用のシートキー。
【発明の詳細な説明】
【技術分野】
【０００１】
本発明は、ティーチペンダントのシートキーに関するものである。
【背景技術】
【０００２】
ティーチングプレイバック方式の産業用ロボットでは、主にティーチペンダントを使用して教示作業が行われる。より具体的には、産業用ロボットの手首部に取り付けられたツールの制御点を作業者が直接見ながら、ティーチペンダントの操作部のキー操作によってロボット本体を動かして移動目標位置等を教示する。ティーチペンダントはティーチング等に使用する前記操作部は複数のスイッチ部を有するシートキーで構成されているものが多い。
【０００３】
図６を参照して、ティーチペンダントに使用されている一般的なシートキーを説明する。同図に示すように、シートキーは、メンブレンキーボード１０の表面を覆うように透明な表面シート２０が固定されたものであり、メンブレンキーボード１０と表面シート２０とによりメンブレンスイッチが構成されている。
【０００４】
メンブレンキーボード１０は、下から順に台板１１、下部接点シート１２、上部接点シート１３及びポリドーム１４が積層されている。台板１１は図示しないティーチペンダントの筐体に固定されている。下部接点シート１２は台板１１に対して固定されている。下部接点シート１２と上部接点シート１３間、及び上部接点シート１３とポリドーム１４間はそれぞれシートスペーサ１５、１６が介在して積層固定されている。
【０００５】
下部接点シート１２の上面と上部接点シート１３の下面のそれぞれにおいて、相互に相対する部位には下部接点１２ａ及び上部接点１３ａが設けられ、この接点１２ａ，１３ａによりスイッチ部が構成されている。
【０００６】
ポリドーム１４において、前記スイッチ部に相対する部位は、上方へ突出するドーム状の押圧部１４ａが形成されている。また、前記表面シート２０は、シートスペーサ１７を介してポリドーム１４に対して貼着固定されている。また、表面シート２０において、スイッチ部に相対する相対領域の裏面には、スイッチ部を区画するキー枠、及びスイッチ部を操作することによって行われる各種機能を表示するための文字、アイコン、キー枠等（図示しない）が印刷されている。また、表面シート２０において、一部のスイッチ部のキー枠の外側である周辺領域の裏面には、前記スイッチ部が操作されることによって行われる各種機能を表示するための文字（図示しない）が印刷されている。
【０００７】
なお、特許文献１では、多国語対応機能付き携帯電話が提案されている。この携帯電話は、多国語でキーの機能名が表示された表面シートと、前記表面シートに記述された多国語の機能名を選択的に表面から見えるように表示するキー操作部を有して、使用するユーザの言語に応じて前記表面シートに記述された言語を選択できるようにしている。
【０００８】
また、特許文献２では、任意の言語環境に基づいた基準キー表示が設けられたキーを有するキーボードを覆うとともに、前記言語環境とは異なる言語環境に基づいたオプションキー教示がされているシートが提案されている。
【先行技術文献】
【特許文献】
【０００９】
【特許文献１】特開２００１−３２６７１３号公報
【特許文献２】特開２０１２−１６８９９１号公報
【発明の概要】
【発明が解決しようとする課題】
【００１０】
ところで、従来は言語が異なる複数の国で前記ティーチペンダントの使用を可能にするために、各言語で使用されている文字が前記表面シート２０の裏面に印刷されている。前述したように前記シートキーは、メンブレンキーボード１０の表面を覆うように表面シート２０が固定されていることから、言語毎にシートキーが異なることになる。この結果、言語毎にシートキーを製造及び管理することになり、シートキーの製造及び管理コストが高くなる原因となっている。
【００１１】
なお、特許文献１及び特許文献２は、ティーチペンダントに関するシートキーではなく、シートキーの製造及び管理コストの低減の対策としては何ら提案されていない。
本発明の目的は、シートキーを言語に対応させる必要性をなくして、一元化して製造及び管理することができ、言語毎の管理コストを低減することができるティーチペンダント用のシートキーを提供することにある。
【課題を解決するための手段】
【００１２】
上記問題点を解決するために、本発明のティーチペンダント用のシートキーは、複数のスイッチ部を有し、前記スイッチ部のそれぞれが共通の表面シートにより覆われたメンブレンスイッチよりなるティーチペンダント用のシートキーにおいて、前記表面シートには、さらに保護シートが貼着され、前記複数のスイッチ部の内、少なくとも一部のスイッチ部に対応する前記保護シートの操作領域及び前記操作領域の周辺領域の内、いずれか一方の領域または両領域にはその領域に対応するスイッチ部が操作されることにより行われる各種機能を表示する言語の文字が記述されているものである。
【００１３】
また、前記保護シートは、耐熱性を有していることが好ましい。
また、前記表面シートの前記スイッチ部と相対する相対領域の内、少なくとも一部の相対領域には、そのスイッチ部の機能と関連する図形、複数の国の共通記号のうち少なくともいずれか１つが印刷されていることが好ましい。
【００１４】
また、前記表面シートの前記スイッチ部のそれぞれと相対する相対領域は前記保護シートの操作領域と相対して配置され、前記相対領域と前記操作領域は、ともに表面側に突出するエンボスが形成されていることが好ましい。
【００１５】
また、前記言語は、前記保護シートの裏面に印字されていることが好ましい。
また、前記保護シートは、前記表面シートに対して張り替え可能に貼着されていることが好ましい。
【００１６】
また、前記表面シートの前記スイッチ部のそれぞれと相対する相対領域は前記保護シートの操作領域と相対して配置され、前記相対領域と前記操作領域は、ともに表面側に突出するエンボスが形成されていることが好ましい。
【００１７】
また、前記保護シートは透明であり、前記言語は、前記保護シートの裏面に印刷されていることが好ましい。
また、前記保護シートは、前記表面シートと同一の大きさの外形を有することが好ましい。
【発明の効果】
【００１８】
本発明によれば、ティーチペンダントが使用される国または地域での言語毎の文字を表面シートではなく、表面シート上面に貼着される保護シートに印刷するようにしたことによって、シートキーを各言語に対応させる必要がなくなる。すなわち、シートキーを一元化して製造及び管理することができ、言語毎の管理コストを低減することができる効果を奏する。
【図面の簡単な説明】
【００１９】
【図１】本発明を具体化した一実施形態のシートキーの断面図。
【図２】ティーチペンダントの正面図。
【図３】シートキーに保護シートを貼着した状態の正面図。
【図４】シートキーの表面シートの正面図。
【図５】保護シートの正面図。
【図６】従来のシートキーの断面図。
【発明を実施するための形態】
【００２０】
以下、本発明を具体化した一実施形態を図１乃至図６を参照して説明する。なお、従来例と同一構成については同一符号を付して説明する。
図２に示すように、産業用ロボットで使用されるティーチペンダントＴＰはその筐体ＴＰａの中央部から下部側に操作部１００が設けられるとともに中央部から上部側に液晶表示装置等からなる表示部１１０が設けられている。
【００２１】
操作部１００は、シートキーにより構成されている。
図１に示すように、シートキーはメンブレンキーボード１０と、メンブレンキーボード１０の表面に、その表面を覆うように固定された表面シート２０とを含み、メンブレンキーボード１０と表面シート２０とによりメンブレンスイッチが構成されている。
【００２２】
本実施形態において、従来と異なる構成は、前記シートキーの前記表面シート２０の表面に保護シート３０が積層されているところである。保護シート３０については後述する。
【００２３】
前記メンブレンキーボード１０は、下から順に台板１１、下部接点シート１２、上部接点シート１３及びポリドーム１４が積層されている。台板１１は、例えば、合成樹脂からなる硬質の板材からなり、前記筐体ＴＰａに対して図示しない粘着剤にて接着固定されている。
【００２４】
下部接点シート１２は、台板１１に対して接着剤により固定されている。下部接点１２ａは、例えばＰＥＴ（ポリエチレンテレフタレート）材からなる。下部接点シート１２上面には、所望のパターンからなる図示しないスイッチ回路が導電性ペーストにより形成されていて、前記スイッチ回路の下部接点１２ａが設けられている。前記導電性ペーストは、例えば、カーボンと銀の混合からなるものであるが材質は限定されるものではない。
【００２５】
前記下部接点シート１２と上部接点シート１３間には、シートスペーサ１５が介在して接着されている。前記シートスペーサ１５は、例えば、例えばポリエチレンテレフタレート（ＰＥＴ）またはポリエチレンナフタレート（ＰＥＮ）からなる合成樹脂製のシートにより構成されている。
【００２６】
前記上部接点シート１３は、前記シートスペーサ１５により下部接点１２ａと離間配置されている。上部接点シート１３は、例えばポリエチレンテレフタレート（ＰＥＴ）またはポリエチレンナフタレート（ＰＥＮ）からなる合成樹脂製の柔軟性を有する薄肉のシート部材からなり、下方へ押圧された部位は前記シートスペーサ１５により形成された間隙が許容する範囲で下方へ変位し、押圧が解除されると元の位置に戻ることが可能である。
【００２７】
上部接点シート１３下面には、所望のパターンからなる図示しないスイッチ回路が前記導電性ペーストにより形成されていて、前記下部接点１２ａと対向して前記スイッチ回路の上部接点１３ａが設けられている。
【００２８】
下部接点１２ａと上部接点１３ａとによりスイッチ部Ｓが構成されている。図１では、説明の便宜上、代表的に１つのスイッチ部Ｓを図示しているが、本実施形態におけるティーチペンダントＴＰのシートキーは、図２に示すように、スイッチ部Ｓとして、複数個のスイッチ部４１〜９６を有する。なお、説明の便宜上、図２乃至図４においては、符号４１〜９６は、スイッチ部に対応した表面シート２０の後述する相対領域、及び保護シート３０の後述する操作領域３０ａに付されている。
【００２９】
なお、スイッチ部の個数は、本実施形態では例示として５６個としているが、個数は限定するものではない。また、図３では、操作部１００を保護シート３０の上方から見た場合であって、各スイッチ部に相対する領域に付されている後述する文字、アイコン等を詳細に示している。
【００３０】
図１に示すように上部接点シート１３とポリドーム１４はシートスペーサ１６を介して接着されている。前記シートスペーサ１６は、例えば、例えばポリエチレンテレフタレート（ＰＥＴ）またはポリエチレンナフタレート（ＰＥＮ）からなる合成樹脂製のシートにより構成されている。
【００３１】
ポリドーム１４は、例えばポリエチレンテレフタレート（ＰＥＴ）またはポリエチレンナフタレート（ＰＥＮ）からなる合成樹脂製のシート部材により構成されており、熱プレスを施すことにより複数の押圧部１４ａを有している。前記押圧部１４ａは、前記スイッチ部４１〜９６に相対する部位にそれぞれ設けられており、表面（外面）側に突出して裏面（内面）側に反転可能なドーム状に形成されている。
【００３２】
前記表面シート２０は、シートスペーサ１７を介してポリドーム１４の表面に対して貼着固定されている。前記シートスペーサ１７は、例えば、ポリエチレンテレフタレート（ＰＥＴ）またはポリエチレンナフタレート（ＰＥＮ）からなり柔軟性を有する薄肉の合成樹脂製の透明なシート部材により構成されている。また、表面シート２０において、スイッチ部４１〜９６に相対する相対領域２０ａは熱プレスが施されることによりエンボスが立体成形されて、外面（表面）側に突出するとともに柔軟性により裏面（内面）側に移動可能である。
【００３３】
また、表面シート２０の周縁部は、メンブレンキーボード１０の外形よりも張出し形成されており、その張出しされた部分の裏面は、粘着シート２１を介して筐体ＴＰａの表面に貼着されている。
【００３４】
図４に示すように表面シート２０の前記相対領域２０ａの一部又は全部の裏面には、スイッチ部４１〜９６によって行われる各種機能を表示するための文字、アイコン、キー枠等が印刷されている。本実施形態では全部の相対領域２０ａ裏面にキー枠が印刷されるとともに、一部の相対領域２０ａ裏面には、各種機能を表示するための文字、アイコン（図形）等が印刷されている。なお、本実施形態において、表面シート２０の裏面に印刷されている文字は、複数の国で使用されている共通記号である。共通記号には、共通文字を含む。例えば、アラビア数字、アルファベット（図４の例では「Ｒ」，「Ｘ」，「Ｙ」，「Ｚ」）等である。また、表面シート２０の裏面に印刷されている文字は、言語が異なる複数の国において、その国の言語ではないが理解できる単語を構成する文字（例えば、「ＯＮ」、「ＯＦＦ」等）、または略語（例えば、「Ｉ／Ｆ」、「ＢＳ」、「ＦＮ」等）を構成する文字も含む。例えば、「Ｉ／Ｆ」はインターフェィスの略号であり、「ＢＳ」はバックスペースの略号であり、「ＦＮ」はファンクションの略号である。
【００３５】
また、表面シート２０の前記相対領域２０ａの裏面には薄肉のコンタクト２０ｂが貼着され、押圧部１４ａの表面と常時接触している。コンタクト２０ｂは、例えばアクリル、ウレタン等の柔軟性を有する樹脂材で形成されているが材質は限定されるものではない。
【００３６】
また、図１に示すように本実施形態では、下部接点シート１２上面において、一部のスイッチ部の周辺領域（例えば、図３においては、スイッチ部４３の周辺領域等）にはＬＥＤ３２が固定されて図示しないスイッチ回路に電気的に接続されている。ＬＥＤ３２はシートスペーサ１５、上部接点シート１３、シートスペーサ１６、ポリドーム１４、及びシートスペーサ１７を貫通するとともに、その上部は表面シート２０により覆われている。前記ＬＥＤ３２は、当該スイッチ部がオン操作されると発光し、表面シート２０及び保護シート３０を介して、外部から発光状態が視認可能である。
【００３７】
前記ティーチペンダントＴＰの操作部１００は、上記のようにして構成され、ティーチペンダントＴＰの工場出荷段階では、保護シート３０は表面シート２０表面には貼着されていない。
【００３８】
保護シート３０は、ティーチペンダントＴＰが使用される国又は地域において、使用される前に、例えば現地で貼着される。保護シート３０の構成について説明する。
図１に示すように保護シート３０は、前記表面シート２０の表面に対してシートスペーサ１９を介して貼着固定される。前記保護シート３０を表面シート２０に貼着する際に使用する粘着剤は、保護シート３０の表面シート２０に対する張り替え可能な材質、すなわち、ピールアップ性を有する粘着剤が好ましい。ピールアップ性を有する粘着剤としては、例えば、アクリル系接着剤を挙げることができるが、アクリル系接着剤に限定されるものではない。前記シートスペーサ１９は、例えば、ポリエチレンテレフタレート（ＰＥＴ）またはポリエチレンナフタレート（ＰＥＮ）からなり柔軟性を有する薄肉の合成樹脂製のシート部材により構成されている。
【００３９】
保護シート３０は、耐熱性を有する透明な合成樹脂製からなる。この耐熱性は、少なくとも溶接スパッタ、或いはグラインダ粉等の瞬間的な熱に強い素材が好ましい。このような耐熱性を有する透明な合成樹脂として、例えば、ＰＶＣ（ポリ塩化ビニール）系の合成樹脂を挙げることができるが限定されるものではない。保護シート３０の厚みは例えば１００μｍとしているが、この厚みは限定するものではない。
【００４０】
また、保護シート３０の外形の大きさは、表面シート２０と同一の外形の大きさに形成されて、貼着時において相互に合致するようにされている。保護シート３０において、前記相対領域２０ａに相対する操作領域３０ａは熱プレスが施されることによりエンボスが立体成形されて、外面（表面）側に突出するとともに柔軟性により裏面（内面）側に移動可能である。
【００４１】
保護シート３０の前記操作領域３０ａの裏面またはその周辺領域の裏面には、スイッチ部が操作されることによりティーチペンダントＴＰが実行する、またはティーチペンダントＴＰから通信により図示しないロボットコントローラが実行する各種機能を表示する言語の文字が印刷されている。
【００４２】
本実施形態では、図５に示すように、言語として英語が使用されている。図５で示す例では、操作領域３０ａの周辺領域の裏面には、「ＥＮＡＢＬＥ」、「ＭＯＴＯＲ  ＯＮ」、「ＰＷＲ」、「ＥＲＲ」、「ＳＹＮＣ」、「ＩＮＴＥＲＰ」、「ＣＨＫ．ＳＰＤ」、「ＴＣＨ．ＳＰＤ」、「ＳＴＯＰ」、「ＣＯＮＴ」、「ＣＬＯＳＥ」、「ＳＨＩＦＴ」、「ＯＵＴ」、「ＩＮ」、「ＣＬＡＭＰ」、「ＡＲＣ」、「ＳＰＥＥＤ」、「ＡＣＣ」、及び「ＴＩＭＥＲ」が印刷されている。
【００４３】
また、操作領域３０ａの裏面には、「ＧＯ」、「ＢＡＣＫ」、「Ｏ．Ｗ．」、「ＲＥＣ」、「ＩＮＳ」、「ＭＯＤ」、「ＨＥＬＰ」、「ＤＥＬ」、「ＰＲＯＧ．」、「ＳＴＥＰ」、及び「ＥＮＤ」が印刷されている。
【００４４】
ここで、図５に示すようにスイッチ部４１〜４９、６４，７１，７８，８５，８９，７０は、周辺領域に文字が印刷されている例である。また、スイッチ部５４，６３，６８，７５〜７７，８３は、操作領域３０ａに文字が印刷されている例である。
【００４５】
なお、操作領域３０ａまたは周辺領域の裏面のいずれに前記言語の文字を印刷するのかは限定されるものではなく、図４及び図５は例示である。また、図５で示した言語による単語、略語は例示であり、一部又は全部を変更してもよい。
【００４６】
（実施形態の作用）
上記のように構成されたシートキーを有するティーチペンダントＴＰは、図１において、英語を言語として使用する国又は地域で表面シート２０表面に、前記保護シート３０を貼着する。この場合、表面シート２０及び保護シート３０は、スイッチ部４１〜９６に対応してエンボスがそれぞれ立体成形されているため、表面シート２０に対して保護シート３０を合致させることを容易に行うことができる。図１に示すように保護シート３０が表面シート２０表面に貼着された場合、図２、図３に示すように表面シート２０の裏面に印刷された文字、アイコン、キー枠及び保護シート３０の裏面に印刷された英語の文字は、外部から視認することが可能である。
【００４７】
このようにティーチペンダントＴＰが使用される現地の言語に応じて、保護シート３０を、例えば現地で貼着するようにしたため、本実施形態によれば、ティーチペンダントＴＰの管理をその言語に応じた国、及び地域に対応させる場合、保護シートのみを貼着するだけで済み、言語毎にティーチペンダントＴＰ及びシートキーを対応させる必要がない。なお、保護シート３０の貼着作業行う場所は、ティーチペンダントＴＰを使用する現地に限定するものではなく、適宜の場所で行うことも可能である。
【００４８】
また、前記ティーチペンダントを前記英語とは異なる言語圏で使用する場合には、前記英語の場合と同様、スイッチ部に対応した領域（操作領域又は周辺領域）にスイッチ部が操作されることにより行われる各種機能を示す言語の文字を、保護シート３０の裏面に印刷すればよい。なお、ティーチペンダントＴＰが使用される現地の言語としては、前記英語以外に、例えば、日本語、ドイツ語、イタリア語、フランス語、中国語、アラビア語等があるが、いずれの言語としてもよい。
【００４９】
本実施形態のシートキーによれば、下記の特徴がある。
（１）  本実施形態のシートキーは、複数のスイッチ部を有し、前記スイッチ部のそれぞれが共通の表面シート２０により覆われたメンブレンスイッチよりなるティーチペンダント用のシートキーである。そして、表面シート２０には、保護シート３０が貼着され、複数のスイッチ部の内、一部のスイッチ部に対応する保護シート３０の操作領域３０ａ及び操作領域３０ａの周辺領域に、その領域に対応するスイッチ部が操作されることにより行われる各種機能を表示する言語の文字を記述（印刷）するようにした。この結果、ティーチペンダントが使用される国または地域での言語毎の文字は、表面シートではなく、表面シート上面に貼着される保護シートに印刷されることになる。すなわち、シートキー自体は言語に対応させる必要がなくなるため、一元化して製造及び管理することができ、言語毎の管理コストを低減することができる効果を奏する。特に、保護シート３０は、例えば、安価なシート状の樹脂フィルムを使用することもできるため、言語毎の管理、製造コストを低減できる。
【００５０】
（２）  本実施形態のシートキーに貼着される保護シート３０は、耐熱性を有している。この結果、本実施形態によれば、溶接スパッタやグラインダ粉等の瞬間的な熱に強い素材を使用しているため、例えば溶接ロボットのコントローラに接続して使用するティーチペンダントに容易に採用することができる。
【００５１】
（３）  本実施形態のシートキーに貼着される保護シート３０は、表面シート２０に対して張り替え可能に貼着されている。この結果、保護シート３０の表面が汚れた場合、表面シート２０を保護して表面シート２０の表面が汚れない。また、保護シート３０を張り替えることもできるため、シートキー及び表面シートの印刷した部分は、新品の場合と同様に鮮明に見ることができる。
【００５２】
また、保護シート３０の張り替えができるため、保護シート３０を消耗品で管理することができ、メンテナンス性が向上する。
（４）  本実施形態は、表面シート２０のスイッチ部のそれぞれと相対する相対領域２０ａは保護シート３０の操作領域３０ａと相対して配置され、相対領域２０ａと操作領域３０ａは、ともに表面側に突出するエンボスが形成されている。この結果、本実施形態によれば、保護シート３０を表面シート２０表面に張る場合、立体成形された両者のエンボス部分を合致させることができるとともに、スイッチ部を操作する場合にタッチ感を向上することができる。
【００５３】
（５）  本実施形態は、保護シート３０は透明にし、言語は保護シート３０の裏面に印刷されている。この結果、本実施形態によれば、保護シートに印刷された言語の文字が、外部から操作される際、汚れたり、或いは消えることがない。
【００５４】
（６）  本実施形態は、保護シート３０は、表面シート２０と同一の大きさの外形を有するため、保護シート３０の表面シート２０に対して貼着する際、表面シート２０と外形部分を合致させるように配置すると容易に貼着することができる。
【００５５】
なお、本発明は前記実施形態に限定されるものではなく、下記のように構成してもよい。
・  前記実施形態では、メンブレンキーボード１０は、エンボスタイプのものとしたが、エンボスタイプに限定するものではない。表面シート２０の表面全体が平らなフラットタイプにしてもよい。
【００５６】
・  前記実施形態では、表面シート２０の相対領域２０ａの裏面には、スイッチ部によって行われる各種機能を表示するためのアイコンが印刷されていたが、その周辺領域の裏面に、アイコンが印刷されていてもよい。
【００５７】
・  前記実施形態では、保護シート３０は、張り替え可能にしたが、表面シート２０に対して張り替え不能な粘着剤にてシートスペーサ１９を介して貼り付けするようにしてもよい。
【００５８】
・  前記実施形態では、一部のスイッチ部に対応する保護シート３０の操作領域３０ａ及び操作領域３０ａの周辺領域の内、いずれか一方の領域にはその領域に対応するスイッチ部が操作されることにより行われる各種機能を表示する言語の文字が記述（印刷）されているものとしたが、この構成に限定するものではない。
【００５９】
例えば、全部のスイッチ部４１〜９６の操作領域及び周辺領域の内、いずれか一方の領域または両領域に前記文字を記述してもよい。
また、一部又は全部のスイッチ部に対応する保護シート３０の操作領域３０ａ及び周辺領域の両領域に文字を記述してもよい。
【００６０】
・  前記実施形態では、表面シートと保護シート３０の外形の大きさを同一としたが、保護シートを表面シートよりも大きな外形としてもよい。或いは、保護シートを表面シートよりも小さな外形としてもよい。
【００６１】
・  前記実施形態では、表面シート２０の表面に単一の保護シート３０を貼着するようにしたが、表面シート２０の全表面領域を複数に適宜区分して、その区分した表面毎に保護シートを貼着するようにしてもよい。この場合、保護シートは、前記実施形態と同様に張り替え可能にしてもよい。
【符号の説明】
【００６２】
１０…メンブレンキーボード、
１１…台板、１２…下部接点シート、１３…上部接点シート、
１４…ポリドーム、１５，１６，１７，１９…シートスペーサ、
２０…表面シート、２０ａ…相対領域、
３０…保護シート、３０ａ…操作領域、
Ｓ，４１〜９６…スイッチ部。
【図１】
2014143010.tif 000003
【図２】
2014143010.tif 000004
【図３】
2014143010.tif 000005
【図４】
2014143010.tif 000006
【図５】
2014143010.tif 000007
【図６】
2014143010.tif 000008